(57)【特許請求の範囲】
【請求項１】
筐体と、この筐体に振動可能に取り付けられ、透明電極を有する画像表示部と、前記筐体に固定されたマグネットとを備え、前記透明電極によりコイルが形成されるとともにこのコイルが前記マグネットにより形成される磁界内に位置しており、前記コイルに音声信号を供給すると前記画像表示部が振動して音波を放射するようにしたことを特徴とする画像表示装置。
【請求項２】
前記コイルがプリントコイルであることを特徴とする請求項１に記載の画像表示装置。
【請求項３】
前記画像表示部が光を透過させるように形成されており、前記筐体内に設けられた光源と、前記筐体内に前記画像表示部と対向するように設けられ、光を反射する反射部材と、前記筐体内に設けられ、前記光源の光を前記反射部材に導く導光体と、前記画像表示部と前記反射部材の間に設けられ、前記反射部材が反射した光を拡散して透過させる拡散部材とを備えており、前記導光体は、前記光源が、前記拡散部材に対向しないとともに前記反射部材に近接して配置されるように形成されていることを特徴とする請求項１又は２に記載の画像表示装置。
【発明の詳細な説明】
【０００１】
【発明の属する技術分野】
本発明は、電気音響変換器付きの画像表示装置に関するものである。
【０００２】
【従来の技術】
例えば液晶テレビやパソコンの全体又は一部を構成するものとして、電気音響変換器付きの画像表示装置が用いられている。図７は特開平０３−７２３９４号公報に開示されたこの種の画像表示装置の平面断面図である。この画像表示装置１０１は、前壁に開口部１０２ａが設けられた箱型の筐体１０２と、この筐体１０２の内部に設けられた複数個の光源１０３と、筐体１０２の背壁内面に設けられた反射板１０４と、筐体１０２の開口部１０２ａに取り付けられ、光源１０３が発した光及び反射板１０４が反射した光を均一に拡散して透過させる拡散板１０５と、筐体１０２の前面に取り付けられ、拡散板１０５で拡散した光を透過させて画像を表示する画像表示パネル１０６と、筐体１０２の前壁内面の両側に取り付けられた複数個のスピーカ１０７とを備えている。
【０００３】
光源１０３が発した光は直接拡散板１０５に入射し、あるいは反射板１０４で反射されて拡散板１０５に入射する。拡散板１０５に入射した光は均一に拡散しながら拡散板１０５を透過し、画像表示パネル１０６に入射する。これによって画像表示パネル１０６の画像は明るく表示される。また、スピーカ１０７には音声信号が供給され、スピーカ１０７から放射される音波と画像表示パネル１０６に表示される画像とにより快適な環境が作り出される。なお、筐体１０２の前面には、スピーカ１０７が発した音波を所定の方向に向けるためのグリルが設けられている。
【０００４】
【発明が解決しようとする課題】
上述した従来の画像表示装置では、グリルによってスピーカの存在がユーザにはっきりと認識されるため、表示画像とは別の箇所から音が出ているのをユーザが意識することになり、快適感が損なわれるという問題点が有った。
【０００５】
また、画像表示パネル１０６に画像がきれいに表示されるようにするには、拡散板１０５で光源１０３の光が充分に拡散され、拡散板１０５が全体にわたってほぼ均一な明るさになる必要がある。そのためには、光源１０３、１０３、・・が隙間無く配置されていればよいが、実際には、そのように構成することはできず、光源１０３、１０３、・・は所定の間隔をおいて配置されている。この場合、光源１０３と拡散板１０５の距離が小さいと、光源１０３の形状が拡散板１０５を透して視認されるため、拡散板１０５が全体にわたって均一な明るさとならない。これを避けるためには、光源１０３と拡散板１０５の距離を大きくする必要が有るが、その結果、筐体１０２の奥行き寸法が大きくなり、画像表示装置１０１の設置に大きなスペースが必要となるという問題点が有った。
【０００６】
本発明は上述した問題点に鑑みてなされたものであって、その目的は、ユーザに電気音響変換器の存在を意識させることがなく、表示画像から音が発しているように感じさせるように成した電気音響変換器付きの画像表示装置を提供することにある。
【０００７】
また、本発明の他の目的は、画像をきれいに表示させることができるとともに、コンパクト化を図った電気音響変換器付きの画像表示装置を提供することにある。
【０００９】
【課題を解決するための手段】
本発明は、筐体と、この筐体に振動可能に取り付けられ、透明電極を有する画像表示部と、前記筐体に固定されたマグネットとを備え、前記透明電極によりコイルが形成されるとともにこのコイルが前記マグネットにより形成される磁界内に位置しており、前記コイルに音声信号を供給すると前記画像表示部が振動して音波を放射するようにしたことを特徴とする画像表示装置である。
【００１０】
本発明の構成によれば、画像表示部が振動して音波を放射するようにしたことにより、あたかも画像から音が出ているかのような印象をユーザに与えることができ、ユーザに電気音響変換器の存在を意識させることがないため、快適な音と画像の環境を作り出すことができる。
【００１１】
また、本発明は、前記コイルがプリントコイルであることを特徴としている。
【００１２】
このような構成によれば、コイルが薄いため、装置のコンパクト化を図ることができる。
【００１３】
また、本発明は、前記画像表示部が光を透過させるように形成されており、前記筐体内に設けられた光源と、前記筐体内に前記画像表示部と対向するように設けられ、光を反射する反射部材と、前記筐体内に設けられ、前記光源の光を前記反射部材に導く導光体と、前記画像表示部と前記反射部材の間に設けられ、前記反射部材が反射した光を拡散して透過させる拡散部材とを備えており、前記導光体は、前記光源が、前記拡散部材に対向しないとともに前記反射部材に近接して配置されるように形成されていることを特徴としている。
【００１４】
このような構成によれば、光源が拡散部材に対向しないため、光源の形が拡散部材を介して視認されることがなく、拡散部材が全体にわたってほぼ均一な明るさとなり、画像表示部に画像をきれいに表示させることができる。また、光源が反射部材に近接して配置されるため、拡散部材を反射部材に近づけることができ、装置のコンパクト化を図ることができる。
【００１５】
【発明の実施の形態】
以下、本発明の具体的な実施形態を図面を参照しながら説明する。図１は本発明の第１の実施形態である画像表示装置の平面断面図、図２は図１のＡ−Ａ線断面図である。
【００１６】
この画像表示装置１は、前壁に開口部２ａが設けられた箱型の筐体２と、この筐体２の内部に設けられた複数個の光源３と、筐体２の内部の後方に設けられたサウンドアクチュエータ部４と、筐体２の開口部２ａに取り付けられた拡散板（拡散部材）５と、筐体２の前面に取り付けられた画像表示パネル（画像表示部）６とを備えている。
【００１７】
サウンドアクチュエータ部４は、筐体２の背壁と平行に取り付けられた板状のヨーク７と、その裏面に取り付けられたマグネット８と、その後方に配置され、筐体２に振動可能に取り付けられたシート部材９と、その片面にスクリーン印刷等により形成されたプリントコイル１０とから成っている。なお、プリントコイル１０はマグネット８の磁界内に位置している。
【００１８】
筐体２は例えばポリスチレン等により形成され、容易に振動するようになっている。画像表示パネル６は液晶から成り、締結部材や接着剤等を介して筐体２に振動可能に取り付けられている。プリントコイル１０の両端に音声信号を供給すると、それに応じてシート部材９が振動し、その振動が筐体２を介して画像表示パネル６に伝わり、画像表示パネル６が振動して音波を放射するようになっている。
【００１９】
なお、ヨーク７は反射板を兼ねており、その前面で光源３が発した光を反射する。拡散板５は、光源３が発した光及びヨーク７が反射した光をほぼ均一に拡散して透過させる。そして、画像表示パネル６は、拡散板５で拡散した光を透過させて画像を表示する。
【００２０】
このような構成によれば、従来の画像表示装置のように、スピーカのグリルを設ける必要がなく、ユーザに電気音響変換器の存在を意識させることがないため、あたかも画像から音が出ているかのような印象をユーザに与えることができ、快適な音と画像の環境を作り出すことができる。また、グリルを設ける必要がないため、装置のコンパクト化を図ることもできる。
【００２１】
次に、本発明の第２の実施形態について説明する。図３は本発明の第２の実施形態である画像表示装置の平面断面図、図４は図３のＢ−Ｂ線断面図である。なお、以下の各実施形態において、その前に説明した実施形態と対応する部分には同一の符号を付してあり、重複する説明は省略してある。
【００２２】
本実施形態では、筐体２の両側壁の内面にそれぞれサウンドアクチュエータ部４が設けられている。各サウンドアクチュエータ部４は、筐体２の底壁上に側壁と平行になるように立設された板状のヨーク７と、その一側面に取り付けられたマグネット８と、筐体２の側壁内面に振動可能に取り付けられたシート部材９と、その片面にスクリーン印刷等により形成されたプリントコイル１０とから成っている。なお、プリントコイル１０はマグネット８の磁界内に位置している。
【００２３】
各プリントコイル１０の両端に音声信号を供給すると、それに応じて各シート部材９が振動し、その振動が筐体２を介して画像表示パネル６に伝わり、画像表示パネル６が振動して音波を放射するようになっている。したがって、あたかも画像から音が出ているかのような印象をユーザに与えることができ、ユーザに電気音響変換器の存在を意識させることがない。また、グリルを設ける必要がないため、装置のコンパクト化を図ることもできる。なお、筐体２の背壁の内面には光源３が発した光を反射する反射板（反射部材）１１が設けられており、光源３が発した光及び反射板１１が反射した光は拡散板５でほぼ均一に拡散し、画像表示パネル６を透過して画像を明るく表示する。
【００２４】
次に、本発明の第３の実施形態について説明する。図５は本発明の第３の実施形態である画像表示装置の平面断面図、図６は図３のＣ−Ｃ線断面図である。
【００２５】
本実施形態では、筐体２の内部に、一対の光源３と、画像表示パネル６に対向するように設けられた反射板１１と、光源３の光を反射板１１に導く一対の導光体１２とを設けている。各導光体１２は、光の進行方向が反射板１１に対して鋭角を成すように形成され、その入光端は筐体２内部の側端部に位置しており、これによって、光源３は、拡散板５に対向しないとともに反射板１１に近接した状態になっている。
【００２６】
導光体１２をこのように形成することで、光源３の形状が拡散板５を透して視認されることがないため、拡散板５を全面にわたってほぼ均一な明るさにすることができ、画像表示パネル６に画像をきれいに表示させることができる。また、拡散板５を反射板１１に近づけることができるため、筐体２の奥行き寸法を小さくすることができ、コンパクト化を図ることができる。
【００２７】
また、本実施形態では、画像表示パネル６を構成する液晶表示パネル内に設けられた透明電極を利用して一対のプリントコイル１０が形成されており、これらのプリントコイル１０は反射板１１に取り付けられたマグネット８の磁界内に位置している。各プリントコイル１０の両端に音声信号を供給すると、それに応じて画像表示パネル６が振動し、音波を放射するようになっている。したがって、あたかも画像から音が出ているかのような印象をユーザに与えることができ、ユーザに電気音響変換器の存在を意識させることがない。また、グリルを設ける必要がないため、装置のコンパクト化を図ることもできる。
【００２８】
なお、本発明は上述した実施形態に限定されるものではなく、本発明の要旨を逸脱しない範囲で上述した実施形態に種々の変形を加えることができる。
【００２９】
【発明の効果】
以上説明したように本発明によれば、画像表示部が振動して音波を放射するようにしたことにより、あたかも画像から音が出ているかのような印象をユーザに与えることができ、ユーザに電気音響変換器の存在を意識させることがない。したがって、快適な音と画像の環境を作り出すことができるものである。また、グリルを設ける必要がないため、装置のコンパクト化を図ることもできる。
【００３０】
また、本発明によれば、コイルがプリントコイルであることにより、サウンドアクチュエータ部が薄くなり、装置のコンパクト化を図ることができる。
【００３１】
また、本発明によれば、光源が拡散部材に対向しないため、光源の形が拡散部材を介して視認されることがなく、拡散部材が全体にわたってほぼ均一な明るさとなる。したがって、画像表示部に画像をきれいに表示させることができる。また、光源が反射部材に近接して配置されるため、拡散部材を反射部材に近づけることができ、装置のコンパクト化を図ることができる。
【図面の簡単な説明】
【図１】  本発明の第１の実施形態である画像表示装置の平面断面図。
【図２】  図１のＡ−Ａ線断面図。
【図３】  本発明の第２の実施形態である画像表示装置の平面断面図。
【図４】  図３のＢ−Ｂ線断面図。
【図５】  本発明の第３の実施形態である画像表示装置の平面断面図。
【図６】  図５のＣ−Ｃ線断面図。
【図７】  従来の画像表示装置の平面断面図。
【符号の説明】
１  画像表示装置
２  筐体
６  画像表示パネル（画像表示部）
８  マグネット
１０  プリントコイル
【図１】
0003647386.tif 000002
【図２】
0003647386.tif 000003
【図３】
0003647386.tif 000004
【図４】
0003647386.tif 000005
【図５】
0003647386.tif 000006
【図６】
0003647386.tif 000007
【図７】
0003647386.tif 000008